(57)【特許請求の範囲】
【請求項１】
被覆電線を押し込むことでその被覆部分に切り込み内部の導線部分と電気的に接合する圧接部を備えた端子金具と、この端子金具を収容可能な端子収容部を備えるとともに、この端子収容部を積み重ねる方向に相互に連結可能とされたインナ部材と、連結された状態のインナ部材の外側を覆うようにして組付可能な筒状のアウタ部材とを備えた圧接コネクタであって、
前記インナ部材には、位置決め用突部が突設される一方、前記アウタ部材には、外壁部分を切り欠いて位置決め用凹部が設けられるとともに、この位置決め用凹部は前記インナ部材が前記アウタ部材に正規状態で挿入されるときにのみ前記位置決め用突部と嵌合可能に配され、
かつ前記位置決め用突部は、この位置決め用突部が設けられるインナ部材とこれに隣接するインナ部材とを連結する連結手段を兼用することを特徴とする圧接コネクタ。
【請求項２】
前記位置決め用突部は、前記インナ部材の両側部に一対張り出し状に設けられる一方、前記位置決め用凹部は前記アウタ部材の端縁に切り欠き形成されており、連結された状態のインナ部材とアウタ部材とが正規に組み付けられたときには、前記両位置決め用突部は前記位置決め用凹部に適合してつまみ操作可能となっていることを特徴とする請求項１記載の圧接コネクタ。
【発明の詳細な説明】
【０００１】
【発明の属する技術分野】
本発明は、圧接コネクタに関する。
【０００２】
【従来の技術】
図１４には、特開平２−１４８５８３号に開示された圧接コネクタを示した。このコネクタには、外面の大部分を形成するアウタ部材１０１と、このアウタ部材１０１に収容可能な二つのインナ部材１０２とが備えられている。アウタ部材１０１の前部には角筒状の組付部１０４が備えられており、その上部後方には、図示しない端子金具を収容可能な端子収容部１０３が形成されている。組付部１０４には、二つのインナ部材１０２を収容することができるとともに、側壁にはインナ部材１０２を保持するための係合孔１０６が設けられている。
【０００３】
インナ部材１０２には、端子金具を収容可能な端子収容部１０３が形成されている。また、インナ部材１０２の両側壁において、前方には係合孔１０６に係合可能な係合突部１０７が突設され、後方にはロック突部１０８がそれぞれ突設されている。
また、このコネクタには、これら両部材１０１，１０２の他に、ロック突部１０８に係合して、両部材１０１，１０２間を連結保持しておくためのロック部材１０５が備えられている。ロック部材１０５には、ロック孔部１０９が設けられており、両部材１０２のロック突部１０８に嵌まり込むことができる。
【０００４】
このように構成されたコネクタを組付けるには、まず、各端子収容部１０３に端子金具を収容した後に、インナ部材１０２を組付部１０４に挿入することで、係合孔１０６と係合突部１０７とを係合させる。こうして、インナ部材１０２の前側における前後上下方向の位置決めがなされる。
次に、アウタ部材１０１の上方からロック部材１０５を組付けることにより、ロック孔部１０９とロック突部１０８とを嵌合させる。こうして、両部材１０１，１０２間の連結力が強化されるとともに、インナ部材１０２の後側における前後上下方向の位置決めがなされる。
【０００５】
【発明が解決しようとする課題】
ところで、従来の圧接コネクタでは、インナ部材１０２を組付部１０４に組付けるときに、インナ部材１０２の上下面が逆になっていても、誤って挿入できてしまうことがあり得た。その時には、端子収容部１０３の開口方向が逆向きになって圧接作業が不能となってしまうため、一旦組み立てられた圧接コネクタを解離して、再度インナ部材１０２を組付部１０４に正規姿勢で挿入せねばならず、煩雑な操作を必要としていた。
【０００６】
本発明は、上記事情に鑑みてなされたもので、その目的は、インナ部材とアウタ部材との組付けに際し、インナ部材の上下逆方向の挿入を回避できるとともに、操作性の良好な圧接コネクタを提供するところにある。
【０００７】
【課題を解決するための手段】
上記目的を達成するための請求項１の発明に係る圧接コネクタは、被覆電線を押し込むことでその被覆部分に切り込み内部の導線部分と電気的に接合する圧接部を備えた端子金具と、この端子金具を収容可能な端子収容部を備えるとともに、この端子収容部を積み重ねる方向に相互に連結可能とされたインナ部材と、連結された状態のインナ部材の外側を覆うようにして組付可能な筒状のアウタ部材とを備えた圧接コネクタであって、
前記インナ部材には、位置決め用突部が突設される一方、前記アウタ部材には、外壁部分を切り欠いて位置決め用凹部が設けられるとともに、この位置決め用凹部は前記インナ部材が前記アウタ部材に正規状態で挿入されるときにのみ前記位置決め用突部と嵌合可能に配され、かつ前記位置決め用突部は、この位置決め用突部が設けられるインナ部材とこれに隣接するインナ部材とを連結する連結手段を兼用することを特徴とする。
【０００８】
請求項２の発明は、請求項１に記載のものであって、前記位置決め用突部は、前記インナ部材の両側部に一対張り出し状に設けられる一方、前記位置決め用凹部は前記アウタ部材の端縁に切り欠き形成されており、連結された状態のインナ部材とアウタ部材とが正規に組み付けられたときには、前記両位置決め用突部は前記位置決め用凹部に適合してつまみ操作可能となっていることを特徴とする。
【００１０】
【発明の作用および効果】
請求項１の発明によれば、連結された状態のインナ部材とアウタ部材とが正規位置に組み付けられると、位置決め用突部と位置決め用凹部とが嵌合し合い、逆向きの挿入がなされた場合にはこれらが嵌合し合わないので、不正な挿入であったことが分かる。また、位置決め用突部は、インナ部材同士を連結するための連結手段を兼ねるようにされている。このため、位置決め用突部と連結手段とを別個に設ける必要がなく、構成が簡易となる。
【００１１】
請求項２の発明によれば、組付けが完了している圧接コネクタを分解するときには、両位置決め用突部をつまんでインナ部材をアウタ部材から引き抜くことができる。
【００１３】
【発明の実施の形態】
次に、本発明の実施形態について、図１〜図１５を参照しつつ詳細に説明する。
図１に示すように、本実施形態の圧接コネクタ１は、端子金具２を収容可能なインナ部材３（後述するが、インナ部材３は、上下のインナ部材７，８が連結されることにより、形成されている。説明の便宜上、本実施形態において、「インナ部材３」と言うときは、上下のインナ部材７，８が連結した状態のものを示す。）と、このインナ部材３を収容可能なアウタ部材４とを備えている。
なお、以下の説明において、図１に示すように、インナ部材３の係止突部５が設けられている方向を上側とし、インナ部材３から端子金具２のタブ６が突設している方向を前側とする。
【００１４】
［端子金具］
端子金具２は、図３等に示すように雄側のものであり、導電性板材を折曲げ加工されてなり、図示しない相手側の雌端子金具に連結可能とされている。この端子金具２は、被覆電線Ｗが上方から押し込まれることにより接続がなされるため、圧接端子金具と称される。端子金具２の前方には、相手側の雌端子金具に連結可能なタブ６が突設されており、そのタブ６の後方には、撓み変形可能なランス片１０が切り起こしによって形成されている。このランス片１０の右側縁部分は上方に折曲げられて係合縁１０Ａとされている。また、端子金具２の左右両側部には、一対の側壁３８が折り立てられている。この両側壁３８の間には、ランス片１０が切り起こされる側に被覆電線Ｗを挿入するための電線挿入溝３７が開放されている。また、両側壁３８の後方には、被覆電線Ｗをかしめ付ける左右一対のバレル１２が突設されている。この一対のバレル１２は、端子金具２の前後方向にずれた位置に突設されている。さらに、両側壁３８の中央位置には、前後に一対の圧接刃１１（本発明において、圧接部に相当する。）が、電線挿入溝３７側に切り起こされている。各圧接刃１１は、両側壁３８に対称的に設けられている。この圧接刃１１の先端に対向する溝の幅は、被覆電線Ｗの被覆部分よりも小さくされている。圧接刃１１が開放する側から被覆電線Ｗを押し込むと、圧接刃１１により被覆部分が切り込まれる。すると、被覆電線Ｗの内部にある芯線部分と圧接刃１１とが接触し、被覆電線Ｗと端子金具２とが電気的に接続される。
【００１５】
［インナ部材］
次に、インナ部材３について説明する。インナ部材３は、図２に示すように、上下二つのインナ部材７，８が連結することにより構成されている。上下のインナ部材７，８は、それぞれ合成樹脂により成型されており、その内部には端子金具２が収容可能とされている。
【００１６】
［上側インナ部材］
図２に示すように、インナ部材７の上面側の前部中央には、左右一対の係止突部５が突設されている。両係止突部５の中央には、図示しない治具を押し込むための治具挿入溝１８が凹設されている。この治具挿入溝１８は、インナ部材７の先端から係止突部５を越えてやや後方位置まで設けられている。治具挿入溝１８は、一旦組付けが完了した圧接コネクタ１において、インナ部材３とアウタ部材４とを解離させるときに、治具を挿入するために使用される。係止突部５の前面には案内面５Ａが形成される一方、係止突部５の後面はインナ部材７の上面に対して垂直に形成された係止面５Ｂとされている。
【００１７】
また、インナ部材７の下面側には、端子金具２を収容可能な端子収容部９を備えている（図３を参照）。インナ部材７の左右には、側壁４０が設けられており、この両側壁４０間には、均等に区画壁９Ａが突設されている。端子収容部９は、これら区画壁９Ａにより区画形成されている。端子収容部９の前側には、下面側を覆うようにして蓋部３９が備えられている一方、中央から後部にかけては、被覆電線Ｗが押し込まれる側に開放した状態で形成されている。蓋部３９は、両側壁４０を連結するようにして設けられている。この蓋部３９のうち、端子収容部９の右側縁部分にあたるところには、前後方向にランス係合溝４１が設けられている。このランス係合溝４１には、端子金具２の係合縁１０Ａが嵌まり込むことができる。また、区画壁９Ａの突設端縁には、図３において、左側半分のみが突設されるように形成されており、階段状の組合せ縁部９Ｂとされている。また、蓋部３９には、両インナ部材７，８を係合しておくための係合部として、ありほぞ１４，４２が突設されている。このうち、蓋部３９の中央部分付近に左右一対に設けられているありほぞ４２は、インナ部材７の左右方向に末広がり状のほぞが形成されており、正断面が台形状とされている。また、蓋部３９の左右両側縁部に設けられているありほぞ１４は、インナ部材７の前後方向に末広がり状とされており、側断面が台形状とされている。こうして、各ありほぞ１４，４２には、それぞれ前後方向または左右方向にいずれかへの係合が強化されるようになっており、全体として両インナ部材７，８の係合力のバランスがとられるようにされている。各ありほぞ１４，４２は、下側のインナ部材８に凹設されている係合受部としてのあり溝１６，４３に係合可能とされている。また、左右側壁４０の後端部分には、係合部としての係合爪１５が形成されている。係合爪１５は、側壁４０の一部を削ることにより形成されており、その前端は側壁４０に連結している。この係合爪１５は、下側のインナ部材８に設けられた係合受部としての位置決め用突部１７に係合する。
【００１８】
［下側インナ部材］
次に、下側のインナ部材８について説明する。図２に示すように、下側インナ部材８の上面側には、上側インナ部材７の各端子収容部９に組合せられて、端子金具２の保持力を強化するための構成が設けられている。すなわち、インナ部材８の後部側は、インナ部材８の前部及び中間部分よりも一段高く形成されており、ここには区画壁９Ａに設けられた組合せ縁部９Ｂを受け入れるための区画用溝２２が凹設されている。この区画用溝２２の前端位置には、被覆電線Ｗの外径に合わせて湾曲された押さえ面２３Ａを備えた電線保持部２３が突設されている。この電線保持部２３は、端子金具２の両側壁３８の後端位置よりも後方において、被覆電線Ｗを押さえつける。また、電線保持部２３の前側は一段低く形成されており、そこには区画壁９Ａの位置に合わせたところに区画壁２４が設けられている。この区画壁２４の突設端縁には、図２において左側部分のみが突設されて、階段状の組合せ縁部２４Ａが形成されている。このように、上下の区画壁９Ａ，２４に形成された組合せ縁部９Ｂ，２４Ａは相補的にされており、両区画壁９Ａ，２４が組み合わせられることで、組合せ縁部９Ｂ，２４Ａがほぼ隙間なく組み付けられる。また、各区画壁２４の中間位置には、前後方向に電線押さえ部２５が突設されている。この電線押さえ部２５は、区画壁２４よりも高く突設されており、その後部は幅広く形成された幅広部２５Ａとされている。電線押さえ部２５は、端子金具２の電線挿入溝３７の内側に位置して、被覆電線Ｗを押さえ付ける。幅広部２５Ａは、端子金具２の後側の圧接刃１１よりも、後方に位置するようにされている。
【００１９】
また、インナ部材８の前方には、インナ部材７に突設されたありほぞ１４，４２に係合可能なあり溝１６，４３が凹設されている。また、両側縁部分に設けられたあり溝１６の後方には、治具用溝２６が凹設されている。この治具用溝２６は、両インナ部材７，８の係合を解除するための治具を挿入するために使用できる。また、インナ部材８の上面側の後端両側部には、一対の位置決め用突部１７が突設されている。この位置決め用突部１７は、インナ部材８の後端部分において、外側に張り出すようにして形成されている。位置決め用突部１７は外側に僅かに撓み変形可能とされるとともに、その内側には連結凹部１７Ａが凹設されており、係合爪１５が係合可能とされている（本実施形態における係合爪１５と位置決め用突部１７とが、本発明における連結手段に相当する。）。両位置決め用突部１７の突設幅は、後述するアウタ部材４の幅と同等か、それよりも僅かに短くされている。
【００２０】
次に、図５及び図６を参照しつつ、下側インナ部材８の下面側について説明する。インナ部材８の下面側には、端子金具２を収容可能な端子収容部２７が形成されている。この端子収容部２７は、上側インナ部材７の端子収容部９とほぼ同様の構成とされている。すなわち、各端子収容部２７は、区画壁２７Ａにより区画形成されている。この区画壁２７Ａの突設端縁には、階段状の組合せ縁部２７Ｂが形成されている。また、端子収容部２７の前側には、左右両側壁４７を連結するように、蓋部４４が備えられており、端子収容部２７の内部を角筒状としている。また、この蓋部４４のうち、各端子収容部２７の右側部分にあたるところには、インナ部材８の前後方向にランス係合溝が設けられている（図５及び図６には示されていないが、インナ部材７に設けられているランス係合溝４１と同様のものである。）。また、左右側壁４７の後端部分には、係合部としての係合爪４８が形成されている。この係合爪４８は、側壁４０の後部を肉薄状の平坦面４８Ａとして形成し、この平坦面４８Ａの中央に、側壁４０の外面まで突設させるようにして形成されている。この係合爪４８は、蓋部４４に設けられる爪受け部４９に係合可能とされている。
【００２１】
また、蓋部４４の後縁には、左右一対のヒンジ片４５を介して回動蓋体部４６が連結されている。回動蓋体部４６はヒンジ片４５の回りに回動可能とされており、端子収容部２７への端子金具２の収容が完了した後に、端子収容部２７に覆い付けられる。また、回動蓋体部４６の裏面側（端子収容部２７に覆い付けられる面側）には、インナ部材８の上面側と同様な構成が備えられている。すなわち、回動蓋体部４６の後部側は、前部及び中間部分よりも一段高く形成されており、ここには区画壁２７Ａ先端の組合せ縁部２７Ｂを受け入れ可能な区画用溝５０が凹設されている。この区画用溝５０の前端位置には、被覆電線Ｗの外径に合わせた押さえ面５１Ａを備えた電線保持部５１が突設されており、端子金具２の両側壁３８の後端位置よりも後方において、被覆電線Ｗを押さえつける。また、電線保持部５１の前側は一段低く形成されており、そこには区画壁２７Ａの位置に合わせて区画壁５２が設けられている。区画壁５２の先端縁には、組合せ縁部２７Ｂに相補的に組み合わせられる組合せ縁部５２Ａが階段状に形成されている。各区画壁５２の中央位置には、電線押さえ部５３が突設されている。この電線押さえ部５３は、区画壁５２よりも高く突設され、その後部には幅広部５３Ａが形成されている。電線押さえ部５３は、端子金具２の電線挿入溝３７の内側に位置して、被覆電線Ｗを押さえる。また、このとき幅広部５３Ａは、後方の圧接刃１１より後ろに位置する。また、回動蓋体部４６の後端両側部には、一対の爪受け部４９が突設されている。爪受け部４９は回動蓋体部４６の外側方向に僅かに撓み変形可能に構成されているとともに、その中央には係合爪４８を係合可能な受け孔部４９Ａが凹設されている。
【００２２】
［上下インナ部材の連結］
次に、インナ部材７，８を連結した状態とするときの操作について説明する。インナ部材７，８を組付けるには、まず、各インナ部材７，８に端子金具２を装着しておく。
上側のインナ部材７について、説明する。図３に示すように、インナ部材７の端子収容部９を上向きにして載置し、端子金具２を装着する。ランス片１０を蓋部３９の下面に当接させて下方に撓ませながら、端子金具２を押入れる。端子金具２の正規の押し込み位置において、ランス片１０が復帰変形するとともに、係合縁１０Ａがランス係合溝４１の後縁に係合する。このとき、電線挿入溝３７は、上方に開放された状態となっている（図４を参照）。ここで、被覆電線Ｗを端子金具２の上方から圧接刃１１に押し入れる。すると、圧接刃１１が被覆電線Ｗの被覆を切欠き、内部の芯線部分と電気的に接触する。また、このときには、バレル１２が被覆電線Ｗを抱きかかえるようにして折り曲げられて、被覆電線Ｗと端子金具２との連結が完了する。
【００２３】
次に、図５及び図６を参照しつつ、下側のインナ部材８に端子金具２を装着する場合について説明する。インナ部材８の端子収容部２７を上向きにして載置し、端子金具２を装着する。端子金具２を所定の位置まで押し込むことで、ランス片１０の係合縁１０Ａがランス係合溝の後縁に係止して、端子金具２が端子収容部２７に抜止めされる（図６を参照）。この後、被覆電線Ｗを端子金具２の圧接刃１１に押し込む操作は、インナ部材７において述べたことと同様であるため、その記述を省略する。
【００２４】
このようにして、上下のインナ部材７，８への端子金具２の組付けが完了したら、両インナ部材７，８を連結状態とする。図７は、両インナ部材７，８を組付ける前の状態を示すものである。まず、下側のインナ部材８について説明すると、回動蓋体部４６をヒンジ片４５回りに回動させて、端子収容部２７を覆うように組付ける。係合爪４８により爪受け部４９を外側に撓ませるように変形させながら組付けを進めると、所定の位置まで回動蓋体部４６が回動したところで、係合爪４８が受け孔部４９Ａに係合する。すると、爪受け部４９が復帰変形して、インナ部材８の組付けが完了する。次に、両インナ部材７，８を連結させる。上側インナ部材７の端子収容部９と、下側インナ部材８の上面側とを合わせるようにして、両インナ部材７，８を押し付ける。インナ部材７，８の前側では、ありほぞ１４，４２がそれぞれ対応するあり溝１６，４３に係合する。また、インナ部材７，８の後側では、位置決め用突部１７が係合爪１５によって僅かに外側に撓み変形しながら、組付けが進行する。そして、両インナ部材７，８が所定の位置まで組み付けられると、係合爪１５が位置決め用突部１７に係合するとともに、位置決め用突部１７が復帰変形する。こうして、両インナ部材７，８は、連結された状態のインナ部材３となる。このとき、インナ部材３の上面側では全面に渡ってほぼ面一とされている一方、インナ部材３の下面側においては、回動蓋体部４６と蓋部４４との間に、僅かに段差が生ずるようになっている。すなわち、図１３又は図１４に示すように、蓋部４４が回動蓋体部４６よりも上方に位置するようになっている。
【００２５】
また、インナ部材３の前端面には、四辺の側縁部分に切欠部５７が形成されるようになっている。この切欠部５７は、アウタ部材４側に設けられる当接壁部５６に当接可能とされている。
【００２６】
［アウタ部材］
次に、図９〜図１２を参照しつつ、アウタ部材４について説明する。アウタ部材４は合成樹脂により、略角筒状に一体に形成されており、図示しない相手側の雌コネクタを収容可能としている。アウタ部材４の後部には、連結された状態のインナ部材３を収容可能なインナ収容部３３が備えられており、その前方にはこのインナ収容部３３よりもやや大きく形成されたフード部３４が備えられている。
フード部３４の内部空間は大きく二つに区分されており、その下方空間はインナ収容部３３とほぼ同径の雌コネクタ収容空間３４Ａとされている。また、雌コネクタ収容空間３４Ａの上方は、図示しない相手側の雌コネクタとのロックを行うロック空間３４Ｂとされている。このロック空間３４Ｂの上側において、フード部３４の上壁の中央にはロック部３５が備えられている。図示しない雌コネクタには、このロック部３５に係合可能なロックアームが備えられており、これらロック部３５とロックアームとが係合することにより、両コネクタが抜止め状態に保持される。また、フード部３４の後面上部には、このロック部３５を形成するときの抜き穴１９が設けられている。また、この抜き穴１９の中央からフード部３４の上面にかけては、治具案内溝２０が凹設されている。この治具用溝２０は、組付けが完了した圧接コネクタ１において、インナ部材３とアウタ部材４とを解離するときに、図示しない治具を案内するのに用いられる。また、フード部３４の下面側には、係止アーム部３６が突設されている。この係止アーム部３６は、上下方向に撓み変形可能とされており、その先端にはカギ状の突部３６Ａが設けられている。この係止アーム部３６は、圧接コネクタ１を他の部材に固定するために使用される。
【００２７】
インナ収容部３３は、インナ部材３よりも一回り大きな角筒状に形成されており、フード部３４よりも薄肉に形成されている。インナ収容部３３の左右両側壁３３Ａの後部には、この側壁３３Ａに切り込みを入れることにより、左右一対の位置決め用凹部２８が凹設されている。この位置決め用凹部２８は、側壁３３Ａの後端において、ほぼ上半分の位置に設けられている。位置決め用凹部２８の大きさは、インナ部材３の位置決め用突部１７の大きさとほぼ同等かそれよりも僅かに大きくされている。また、側壁３３Ａにおいて、位置決め用凹部２８の下方は、この他の部分の側壁３３Ａの肉厚に比べて薄くされて肉薄壁３３Ｂとされている。また、インナ収容部３３の上壁３０には、前方中央に弾性片３１が形成されている。弾性片３１は、上壁３０に略Ｃ字状の切り込み３２を入れることによって形成されており、上方に撓み変形可能とされている。また、弾性片３１は、インナ部材３に突設されている両係止突部５の全幅よりも僅かに幅広に形成されている。また、切り込み３２の前部側は、係合溝３２Ａとされており、この係合溝３２Ａの前後長さは係止突部５の前後長さよりも僅かに長くされている。上壁３０は、その後端から弾性片３１の後端３１Ａまでの位置では、インナ収容部３３における他の壁部よりも肉薄に形成されており、僅かに撓み変形可能とされている（図１１を参照）。また、上壁３０の弾性片３１の後端３１Ａからフード部３４の後端にかけては、徐々に肉厚に形成されており、その強度が高くなるようにされている。また、上壁３０の両側部位置には、前後方向に上壁３０のその他の部分よりも肉厚とされた厚肉部５５が設けられている。この厚肉部５５は、弾性片３１の両外側に一対に形成されており、さらに厚肉部５５の外側は上壁３０のその他の部分と同様に肉薄状とされている。このため、厚肉部５５の左右位置が撓み変形しやすくなっている。
【００２８】
また、インナ収容部３３の下壁２９においては、弾性片３１の後端３１Ａにあたるところにおいて、前方よりも後方が一段低く形成されている。また、この段差が備えられているところには、案内面２９Ａが形成されている。さらに、下壁２９の前方位置において、弾性片３１の先端位置にあたるところからインナ収容部３３の先端までには、左右一対のリブ５４が突設されている。また、このリブ５４の後端には、案内面５４Ａが形成されている。このリブ５４は、インナ部材３をインナ収容部３３に収容操作する際に、インナ部材３を上方に押し上げるように案内するためのものである。
【００２９】
また、インナ収容部３３の最奥部において、フード部３４の最奥部との連結部分には、上下左右の各壁２９，３０，３３Ａから当接壁部５６が内側に向かって突設されている。この当接壁部５６は、インナ部材３の切欠部５７に当接して、インナ部材３の前方に対する抜止めをする。
【００３０】
このように形成されたアウタ部材４のインナ収容部３３を見ると、その入口側では、上下左右の壁３３Ａ，３０，２９とインナ部材３との間に所定のクリアランスが確保されるようになっている。そして、インナ収容部３３の奥部に行くにつれて、各壁３３Ａ，３０，２９がクリアランスを埋めるようになっている。
【００３１】
［実施形態の作用及び効果］
次に、上記のように構成された本実施形態の作用及び効果について説明する。
インナ部材３の組付け操作については、既述した。このインナ部材３をアウタ部材４の後方に置き、インナ収容部３３への押し入れを開始する（図１を参照）。インナ部材３の係止突部５がインナ収容部３３の後縁に当接すると、案内面５Ａがインナ収容部３３の上壁３０を押し上げながら組付けが進行する。
【００３２】
次に、インナ部材３の下面側において、蓋部４４と回動蓋体部４６との間には段差があるため、ここで当接感が生ずる。回動蓋体部４６をインナ収容部３３内に押し込むと、上壁３０がさらに撓み変形しつつ、組付けが進行する。
【００３３】
さらに、インナ部材３を奥側に押し込むと、インナ収容部３３の下壁２９の案内面２９Ａが、インナ部材３の蓋部４４を上方に押し上げる。そして、次には、蓋部４４の先端がリブ５４に乗り上げるとともに、係止突部５が弾性片３１をさらに上方に撓み変形させる。
【００３４】
最後に、インナ部材３が正規の収容位置まで押し込まれると、係止突部５が弾性片３１を乗り越え、弾性片３１が復帰変形する。こうして、係止突部５が係合溝３２Ａに嵌まり込み、弾性片３１と係止突部５の係止面５Ｂとが係止して、インナ部材３とアウタ部材４とが抜止め状態にロックされる。また、このときインナ部材３の前端面では、切欠部５７が当接壁部５６に当接しており、インナ部材３の前方への位置決めがされる。また、インナ収容部３３の後端部分においては、位置決め用凹部２８に位置決め用突部１７が嵌まり込んでいる。このようにして、圧接コネクタ１の組付けが完了する。
【００３５】
なお、上記の組付け工程において、インナ部材３とインナ収容部３３との組付け操作のときに、インナ部材３とアウタ部材４とが正規位置に組み付けられると、位置決め用突部１７と位置決め用凹部２８とが嵌合し合う。一方、インナ部材３が逆向きの状態で、インナ収容部３３への挿入がなされた場合には、これらが嵌合し合わないので、不正な挿入であったことが分かる。
【００３６】
さて次には、組付けが完了した圧接コネクタ１を分解するときの操作について、説明する。
まず、係止突部５と弾性片３１との係合を解離するために、治具（図示はしないが、細いマイナスドライバー状のものである。）をアウタ部材４の治具案内溝２０にあてがい、その治具の先端をインナ部材３の治具挿入溝１８に押し入れる。そして、治具の先端を押し上げ、弾性片３１の先端を持ち上げるように弾性変形させ、係止突部５と弾性片３１との係合を解離させる。この状態で、インナ部材３をアウタ部材４のインナ収容部３３から抜き取る。このとき、位置決め用突部１７の突設幅は、アウタ部材４の幅と同等かそれよりも僅かに短くされている。このため、圧接コネクタ１の組付けが完了した状態では、インナ収容部３３の外側から位置決め用突部１７をつまみ操作することができる。こうして、圧接コネクタ１において、インナ部材３とアウタ部材４とを分離するときには、インナ部材３から突設される両位置決め用突部１７をつまんで、インナ部材３をアウタ部材４から引き抜くことができる。
【００３７】
このように、本実施形態によれば、インナ部材３とアウタ部材４との組付け操作中に、位置決め用突部１７と位置決め用凹部２８との嵌合により、誤挿入を防止することができる。
【００３８】
また、位置決め用突部１７は、インナ部材７，８同士を連結するための連結手段を兼ねるようにされている。このため、位置決め用突部１７と連結手段とを別個に設ける必要がなく、構成が簡易となる。
【００３９】
さらに、位置決め用突部１７は、アウタ部材４の側面から突出しない程度に形成されている。このため、圧接コネクタ１が完成された状態において、位置決め用突部１７が側方に突出して、他の部材等によって引っ掛けられることがない。
【００４０】
本発明は前記実施形態に限定されるものではなく、例えば次に記載するようなものも本発明の技術的範囲に含まれる。
▲１▼本実施形態では、端子金具として雄側のもののみを示したが、本発明によれば、雌端子金具を収容可能な雌コネクタにも使用できる。
▲２▼端子収容部は二段以上でもよい。
【図面の簡単な説明】
【図１】本実施形態のコネクタにおいて、連結状態にあるインナ部材をアウタ部材に収容する前の斜視図
【図２】上下のインナ部材が分離されている状態の斜視図
【図３】上側のインナ部材を裏面側から示した斜視図
【図４】上側のインナ部材に端子金具を装着するときの斜視図
【図５】下側のインナ部材を裏面側から示した斜視図
【図６】下側のインナ部材に端子金具を装着するときの斜視図
【図７】端子金具を装着されたインナ部材を連結する前の斜視図
【図８】連結状態にあるインナ部材の背面図
【図９】アウタ部材の背面図
【図１０】アウタ部材の側断面図
【図１１】連結状態にあるインナ部材とアウタ部材とを組付けた状態における側断面図（端子金具を省いた状態）
【図１２】連結状態にあるインナ部材とアウタ部材とを組付けた状態における側断面図
【図１３】組付けが完了したコネクタの斜視図
【図１４】従来例におけるコネクタの組付け前の斜視図
【符号の説明】
１…圧接コネクタ
２…端子金具
３…インナ部材
４…アウタ部材
９，２７…端子収容部
１１…圧接刃（圧接部）
１５…係合爪（連結手段）
１７…位置決め用突部（連結手段）
１９…被覆電線
２８…位置決め用凹部
３３Ａ…外壁
【図１】
0003651251.tif 000002
【図２】
0003651251.tif 000003
【図３】
0003651251.tif 000004
【図４】
0003651251.tif 000005
【図５】
0003651251.tif 000006
【図６】
0003651251.tif 000007
【図７】
0003651251.tif 000008
【図８】
0003651251.tif 000009
【図９】
0003651251.tif 000010
【図１０】
0003651251.tif 000011
【図１１】
0003651251.tif 000012
【図１２】
0003651251.tif 000013
【図１３】
0003651251.tif 000014
【図１４】
0003651251.tif 000015